(57)【特許請求の範囲】
【請求項１】
少なくとも外部装置に画像データを送信し外部装置から制御データを受信する通信機能を有したデジタルスチルビデオカメラにおいて，
前記外部装置の一つである画像形成装置の描画情報をユーザに入力させる描画情報入力手段と，
前記描画情報入力手段で入力した描画情報を記憶する描画情報記憶手段と，
前記画像形成装置に対するプリント要求を入力するプリント要求入力手段と，
前記プリント要求入力手段によって前記プリント要求が入力された場合に，前記描画情報記憶手段に記憶されている描画情報に基づいて前記画像形成装置に適合した画像データを，前記画像形成装置に適合した同期信号を用いて前記画像形成装置に送出する送出手段と，
を備えたことを特徴とするデジタルスチルビデオカメラ。
【請求項２】
少なくとも外部装置に画像データを送信し外部装置から制御データを受信する通信機能を有したデジタルスチルビデオカメラにおいて，
前記外部装置の一つである画像形成装置の描画情報を，あらかじめ前記画像形成装置の種類に対応させて複数記憶した記憶手段と，
前記記憶手段に記憶されている画像形成装置の描画情報の中から所望の画像形成装置の描画情報を選択する選択手段と，
前記画像形成装置に対するプリント要求を入力するプリント要求入力手段と，
前記プリント要求入力手段によって前記プリント要求が入力された場合に，前記選択された画像形成装置の描画情報に基づいて前記画像形成装置に適合した画像データを，前記画像形成装置に適合した同期信号を用いて前記画像形成装置に送出する送出手段と，
を備えたことを特徴とするデジタルスチルビデオカメラ。
【請求項３】
前記画像形成装置が使用可能な状態であるか否かを判定する判定手段をさらに備え，
前記送出手段は，前記判定手段によって前記画像形成装置が使用可能な状態であると判定された場合に，前記画像形成装置に適合した画像データを，前記画像形成装置に適合した同期信号を用いて前記画像形成装置に送出することを特徴とする請求項２に記載のデジタルスチルビデオカメラ。
【請求項４】
複数のプリンタに対応した複数の描画情報が記録された外部記憶媒体を装着する装着手段と，
前記外部記憶媒体に記録された前記複数の描画情報を前記デジタルスチルビデオカメラ内の記憶手段に格納する格納手段と，
をさらに備えたことを特徴とする請求項３に記載のデジタルスチルビデオカメラ。
【請求項５】
前記描画情報から前記画像データの画像展開予想時間を予測し，この予測結果から前記画像形成装置にデジタルビデオカメラが追従可能か否かを判定する画像展開判定手段をさらに備え，
前記送出手段は，前記画像展開判定手段によって追従可能と判定された場合に，前記描画情報に基づいて前記画像形成装置に適合した画像データを，前記画像形成装置に適合した同期信号を用いて前記画像形成装置に送出することを特徴とする請求項１〜４のいずれか一つに記載のデジタルスチルビデオカメラ。
【請求項６】
前記画像データを記憶する画像データ記憶手段と，
前記画像展開判定手段によって追従可能と判定された場合に，前記描画情報に基づいて前記画像形成装置に適合した画像データを，前記画像データ記憶手段に格納する格納手段と，
を備えたことを特徴とする請求項４に記載のデジタルスチルビデオカメラ。
【請求項７】
通信機能を有したデジタルスチルビデオカメラの画像データを画像形成装置を介して記録紙に出力するデジタルスチルビデオカメラの画像データ出力システムにおいて，
前記画像形成装置は，
自装置の描画情報を記憶した第１の記憶手段と，
前記デジタルスチルビデオカメラの要求に応じて前記第１の記憶手段の描画情報を前記デジタルスチルビデオカメラ側へ送出する第１の送出手段と，を備え，
前記デジタルスチルビデオカメラは，
前記画像形成装置を介して画像データの出力を行う場合に，前記画像形成装置に描画情報の保持機能があるか否かを判定する保持機能判定手段と，
前記保持機能判定手段によって前記保持機能があると判定された場合に，前記第１の送出手段に描画情報の送出を要求し，前記描画情報を読み込む描画情報読込手段と，
前記描画情報読込手段で読み込んだ描画情報を記憶する第２の記憶手段と，
前記画像形成装置に対するプリント要求を入力するプリント要求入力手段と，
前記プリント要求入力手段によって前記プリント要求が入力された場合に，前記第２の記憶手段に記憶されている描画情報に基づいて前記画像形成装置に適合した画像データを，前記画像形成装置に適合した同期信号を用いて前記画像形成装置に送出する第２の送出手段と，
を備えたことを特徴とするデジタルスチルビデオカメラの画像データ出力システム。
【発明の詳細な説明】
【技術分野】
【０００１】
本発明は，デジタルスチルビデオカメラおよびデジタルスチルビデオカメラの画像データ出力システムに関し，より詳細には，通信機能を有したデジタルスチルビデオカメラの画像データを画像形成装置を介して記録紙に出力するデジタルスチルビデオカメラおよびデジタルスチルビデオカメラの画像データ出力システムに関する。
【背景技術】
【０００２】
従来，デジタルスチルビデオカメラで撮影した画像をプリンタ等の画像形成装置を介して記録紙に出力する場合，図１３−１〜図１３−４に示すような，デジタルスチルビデオカメラの画像データ出力システムが必要であった。
【０００３】
例えば，図１３−１，図１３−２は，デジタルスチルビデオカメラ（ＤＳＶＣ）からＩ／Ｆ（インターフェース）装置を介してコンピュータへ画像データを転送し，コンピュータのプリント機能を用いてプリンタへ画像データを転送して，記録紙に出力するものである。
【０００４】
また，図１３−３，図１３−４は，デジタルスチルビデオカメラ（ＤＳＶＣ）に内蔵されるドライブに合わせた記録媒体に画像データを記録し，該記録媒体の画像データをコンピュータに接続されたデータ読込装置で読み込んで，コンピュータのプリント機能を用いてプリンタへ画像データを転送して，記録紙に出力するものである。記録媒体としては，コンピュータ周辺機器として一般的なフロッピー（Ｒ）ディスク，ハードディスク，光磁気ディスク，メモリカード（ＩＣカード）等がある，デジタルスチルビデオカメラでは情報のリード／ライトが高速に行えるメモリカードを用いる傾向にある。
【０００５】
なお，図１３−２，図１３−４では，コンピュータとプリンタとの間にコントローラを配置し，該コントローラを介すことでより高速な描画・より高機能な色補正を実現できるようにしている（特許文献１〜４参照）。
【０００６】
【特許文献１】特開平４−７９６５号公報
【特許文献２】特開平４−７９６６号公報
【特許文献３】特開平４−２９１５７３号公報
【特許文献４】特開平５−２８４３１４号公報
【発明の開示】
【発明が解決しようとする課題】
【０００７】
しかしながら，上記従来のデジタルスチルビデオカメラの画像データ出力システムによれば，何れもコンピュータを介在させてプリンタへ画像データを転送する構成であるため，画像データを出力するためのシステムが高価になるという問題点があった。
【０００８】
なお，画像を記録紙に出力する際に，様々な編集・加工を施したい場合には，コンピュータの存在が欠かせないが，ユーザが単にプリント出力を望んでいることも多く，特に，そのような場合にはシステムが高価になることは大きな問題であった。
【０００９】
本発明は上記に鑑みてなされたものであって，コンピュータを介在させずに直接プリンタ等の画像形成装置に画像データを転送することにより，安価な構成でデジタルスチルビデオカメラの画像データを記録紙に出力できるようにすることを目的とする。
【課題を解決するための手段】
【００１０】
上記の目的を達成するために，請求項１に係るデジタルスチルビデオカメラは，少なくとも外部装置に画像データを送信し外部装置から制御データを受信する通信機能を有したデジタルスチルビデオカメラにおいて，前記外部装置の一つである画像形成装置の描画情報をユーザに入力させる描画情報入力手段と，前記描画情報入力手段で入力した描画情報を記憶する描画情報記憶手段と，前記画像形成装置に対するプリント要求を入力するプリント要求入力手段と，前記プリント要求入力手段によって前記プリント要求が入力された場合に，前記描画情報記憶手段に記憶されている描画情報に基づいて前記画像形成装置に適合した画像データを，前記画像形成装置に適合した同期信号を用いて前記画像形成装置に送出する送出手段と，を備えたものである。
【００１１】
すなわち，描画情報入力手段を用いて画像形成装置の描画情報を入力して，描画情報記憶手段に記憶させ，送出手段が，描画情報に基づいて画像形成装置に適合した画像データを，画像形成装置に適合した同期信号を用いて送出するものである。
【００１２】
また，請求項２に係るデジタルスチルビデオカメラは，少なくとも外部装置に画像データを送信し外部装置から制御データを受信する通信機能を有したデジタルスチルビデオカメラにおいて，前記外部装置の一つである画像形成装置の描画情報を，あらかじめ前記画像形成装置の種類に対応させて複数記憶した記憶手段と，前記記憶手段に記憶されている画像形成装置の描画情報の中から所望の画像形成装置の描画情報を選択する選択手段と，前記画像形成装置に対するプリント要求を入力するプリント要求入力手段と，前記プリント要求入力手段によって前記プリント要求が入力された場合に，前記選択された画像形成装置の描画情報に基づいて前記画像形成装置に適合した画像データを，前記画像形成装置に適合した同期信号を用いて前記画像形成装置に送出する送出手段と，を備えたものである。
【００１３】
すなわち，あらかじめ画像形成装置の種類に対応させて複数の描画情報を記憶手段に記憶させておき，選択手段で所望の描画情報を選択し，送出手段が，描画情報に基づいて画像形成装置に適合した画像データを，画像形成装置に適合した同期信号を用いて送出するものである。
【００１４】
また，請求項３に係るデジタルスチルビデオカメラは，請求項２に記載のデジタルスチルビデオカメラにおいて，前記画像形成装置が使用可能な状態であるか否かを判定する判定手段をさらに備え，前記送出手段は，前記判定手段によって前記画像形成装置が使用可能な状態であると判定された場合に，前記画像形成装置に適合した画像データを，前記画像形成装置に適合した同期信号を用いて前記画像形成装置に送出するものである。
【００１５】
また，請求項４に係るデジタルスチルビデオカメラは，請求項３に記載のデジタルスチルビデオカメラにおいて，複数のプリンタに対応した複数の描画情報が記録された外部記憶媒体を装着する装着手段と，前記外部記憶媒体に記録された前記複数の描画情報を前記デジタルスチルビデオカメラ内の記憶手段に格納する格納手段と，をさらに備えたものである。
【００１６】
すなわち，装着手段が複数のプリンタに対応した複数の描画情報が記録された外部記憶媒体を装着し，格納手段が前記外部記憶媒体に記録された前記複数の描画情報を前記デジタルスチルビデオカメラ内の記憶手段に格納するものである。
【００１７】
また，請求項５に係るデジタルスチルビデオカメラは，請求項１〜４のいずれか一つに記載のデジタルスチルビデオカメラにおいて，前記描画情報から前記画像データの画像展開予想時間を予測し，この予測結果から前記画像形成装置にデジタルビデオカメラが追従可能か否かを判定する画像展開判定手段をさらに備え，前記送出手段は，前記画像展開判定手段によって追従可能と判定された場合に，前記描画情報に基づいて前記画像形成装置に適合した画像データを，前記画像形成装置に適合した同期信号を用いて前記画像形成装置に送出するものである。
【００１８】
また，請求項６に係るデジタルスチルビデオカメラは，請求項５に記載のデジタルスチルビデオカメラにおいて，前記画像データを記憶する画像データ記憶手段と，前記画像展開判定手段によって追従可能と判定された場合に，前記描画情報に基づいて前記画像形成装置に適合した画像データを，前記画像データ記憶手段に格納する保存手段と，をさらに備えたものである。
【００１９】
また，請求項７に係るデジタルスチルビデオカメラの画像データ出力システムは，通信機能を有したデジタルスチルビデオカメラの画像データを画像形成装置を介して記録紙に出力するデジタルスチルビデオカメラの画像データ出力システムにおいて，前記画像形成装置は，自装置の描画情報を記憶した第１の記憶手段と，前記デジタルスチルビデオカメラの要求に応じて前記第１の記憶手段の描画情報を前記デジタルスチルビデオカメラ側へ送出する第１の送出手段と，を備え，前記デジタルスチルビデオカメラは，前記画像形成装置を介して画像データの出力を行う場合に，前記画像形成装置に描画情報の保持機能があるか否かを判定する保持機能判定手段と，前記保持機能判定手段によって前記保持機能があると判定された場合に，前記第１の送出手段に描画情報の送出を要求し，前記描画情報を読み込む描画情報読込手段と，前記描画情報読込手段で読み込んだ描画情報を記憶する第２の記憶手段と，前記画像形成装置に対するプリント要求を入力するプリント要求入力手段と，前記プリント要求入力手段によって前記プリント要求が入力された場合に，前記第２の記憶手段に記憶されている描画情報に基づいて前記画像形成装置に適合した画像データを，前記画像形成装置に適合した同期信号を用いて前記画像形成装置に送出する第２の送出手段と，を備えたものである。
【００２０】
すなわち，画像形成装置を介して画像データの出力を行う場合に，デジタルスチルビデオカメラが画像形成装置から描画情報を読み込んで，読み込んだ描画情報に基づいて画像形成装置に適合した画像データを，画像形成装置に適合した同期信号を用いて送出するものである。
【発明の効果】
【００２１】
以上説明したように，本発明のデジタルスチルビデオカメラ（請求項１）は，外部装置との間で画像データおよび制御データの送受信を行う通信機能を有したデジタルスチルビデオカメラにおいて，前記外部装置の一つである画像形成装置の描画情報をユーザに入力させる描画情報入力手段と，前記描画情報入力手段で入力した描画情報を記憶する描画情報記憶手段と，前記画像形成装置に対するプリント要求を入力するプリント要求入力手段と，前記プリント要求入力手段によって前記プリント要求が入力された場合に，前記描画情報記憶手段に記憶されている描画情報に基づいて前記画像形成装置に適合した画像データを，前記画像形成装置に適合した同期信号を用いて前記画像形成装置に送出する送出手段とを備えたため，コンピュータを介在させずに直接プリンタ等の画像形成装置に画像データを転送することにより，安価な構成でデジタルスチルビデオカメラの画像データを記録紙に出力できる。
【００２２】
また，本発明のデジタルスチルビデオカメラ（請求項２）は，外部装置との間で画像データおよび制御データの送受信を行う通信機能を有したデジタルスチルビデオカメラにおいて，前記外部装置の一つである画像形成装置の描画情報を，あらかじめ前記画像形成装置の種類に対応させて複数記憶した記憶手段と，前記記憶手段に記憶されている画像形成装置の描画情報の中から所望の画像形成装置の描画情報を選択する選択手段と，前記画像形成装置に対するプリント要求を入力するプリント要求入力手段と，前記プリント要求入力手段によって前記プリント要求が入力された場合に，前記選択された画像形成装置の描画情報に基づいて前記画像形成装置に適合した画像データを，前記画像形成装置に適合した同期信号を用いて前記画像形成装置に送出する送出手段とを備えたため，コンピュータを介在させずに直接プリンタ等の画像形成装置に画像データを転送することにより，安価な構成でデジタルスチルビデオカメラの画像データを記録紙に出力できる。
【００２３】
また，描画情報には専門的な情報が含まれるので，一般ユーザがとまどう場合もあるが，あらかじめコンピュータを用いて各画像形成装置の描画情報を一括管理し，メモリカード等を介してデジタルスチルビデオカメラに複数取り込むことができるので，特に専門的な知識を有しないユーザがデジタルスチルビデオカメラを使用する場合でも容易にプリント処理を行うことができる。また，描画情報の入力の手間を大幅に低減することができる。
【００２４】
また，本発明のデジタルスチルビデオカメラの画像データ出力システム（請求項７）は，通信機能を有したデジタルスチルビデオカメラの画像データを画像形成装置を介して記録紙に出力するデジタルスチルビデオカメラの画像データ出力システムにおいて，前記画像形成装置は，自装置の描画情報を記憶した第１の記憶手段と，前記デジタルスチルビデオカメラの要求に応じて前記第１の記憶手段の描画情報を前記デジタルスチルビデオカメラ側へ送出する第１の送出手段と，を備え，前記デジタルスチルビデオカメラは，前記画像形成装置を介して画像データの出力を行う場合に，前記画像形成装置に描画情報の保持機能があるか否かを判定する保持機能判定手段と，前記保持機能判定手段によって前記保持機能があると判定された場合に，前記第１の送出手段に描画情報の送出を要求し，前記描画情報を読み込む描画情報読込手段と，前記描画情報読込手段で読み込んだ描画情報を記憶する第２の記憶手段と，前記画像形成装置に対するプリント要求を入力するプリント要求入力手段と，前記プリント要求入力手段によって前記プリント要求が入力された場合に，前記第２の記憶手段に記憶されている描画情報に基づいて前記画像形成装置に適合した画像データを，前記画像形成装置に適合した同期信号を用いて前記画像形成装置に送出する第２の送出手段とを備えたため，コンピュータを介在させずに直接プリンタ等の画像形成装置に画像データを転送することにより，安価な構成でデジタルスチルビデオカメラの画像データを記録紙に出力できる。
【００２５】
また，画像形成装置側に描画情報を持たせることで，さらに描画情報の設定を容易かつ迅速に行うことができる。
【発明を実施するための最良の形態】
【００２６】
以下，本発明のデジタルスチルビデオカメラおよびデジタルスチルビデオカメラの画像データ出力システムについて，〔実施例１〕，〔実施例２〕，〔実施例３〕の順で図面を参照して詳細に説明する。
【００２７】
〔実施例１〕
図１は，実施例１のデジタルスチルビデオカメラおよびデジタルスチルビデオカメラの画像データ出力システムのブロック構成図を示し，大別して，デジタルスチルビデオカメラのカメラ本体１０１と，Ｉ／Ｆ（インターフェース）装置２０１と，プリンタ３０１とから構成される。
【００２８】
なお，カメラ本体１０１には，撮影した画像および各種情報の表示が可能な液晶モニター１０２と撮像した画像を記録するメモリカード１０３とが接続されている。
【００２９】
カメラ本体１０１は，レンズ・オートフォーカス（ＡＦ）・絞り・フィルター・メカ機構等からなるレンズユニット１０４と，レンズユニット１０４を介して入力した映像を電気信号（アナログ画像データ）に変換するＣＣＤ（電荷結合素子）１０５と，ＣＣＤ１０５から入力したアナログ画像データをデジタル画像データに変換するＡ／Ｄ変換器１０６と，Ａ／Ｄ変換器１０６から入力したデジタル画像データを色差と輝度に分けて各種処理，補正および画像圧縮／伸長のためのデータ処理を施すＩＰＰ（Image Pre-Processor ）１０７と，ＪＰＥＧ準拠の画像圧縮／伸長の一過程である直交変換を行うＤＣＴ（Discrete Cosine Transform ）１０８と，ＪＰＥＧ準拠の画像圧縮／伸長の一過程であるハフマン符号化・複合化を行うコーダー（Huffman Encoder/Decoder ）１０９と，圧縮処理された画像とマイク１１１から取り込まれ，デジタル化された音声を一旦蓄え，同時処理してメモリカード１０３への記録・読み出しを行うＭＣＣ（Memory Card Controller）１１０と，マイク１１１によって入力した音声をデジタル変換すると共に，圧縮／伸長処理を施すＡＤＰＣＭ（Adaptive Differential Pulse Code Modulation ）１１２と，上記各部を制御するＣＰＵ１１３と，ＲＯＭおよびＲＡＭからなるシステム用のワークメモリであるＭＥＭ１１４と，リモコン受信機能を有したリモコン機能部１１５と，各種ボタン・スイッチ群のキー入力を行うと共に液晶モニター（後述する液晶パネル１１９）の表示制御を行う操作表示部１１６と，上記各部に電力を供給するバッテリー１１７と，光学ローパスフィルター１１８と，Ｉ／Ｆ２０１との間で通信を行うための通信Ｉ／Ｆ部１２２とを備えている。
【００３０】
また，液晶モニター１０２は，少なくとも液晶パネル（ＬＣＤ）１１９とスピーカー１２０とを備えている。なお，１２１は液晶モニター１０２用のバッテリーを示す。
【００３１】
Ｉ／Ｆ装置２０１は，カメラ本体１０１の通信Ｉ／Ｆ部１２２から画像データ等を入力して，プリンタ３０１へ転送する役割を果たすものである。したがって，Ｉ／Ｆ装置２０１の構成は，カメラ本体１０１の通信Ｉ／Ｆ部１２２およびプリンタ３０１の構成に依存するものであり，特に限定するものではない。
【００３２】
プリンタ３０１は，Ｉ／Ｆ装置２０１との間で通信を行うためのＩ／Ｆ回路３０２と，プリンタエンジン等からなるエンジン部３０３と，各種情報の表示および入力を行うための操作表示部３０４と，上記各部を制御する制御部３０５とから構成される。
【００３３】
なお，実施例１では，液晶モニター１０２および操作表示部１１６によって本発明の描画情報入力手段が構成され，ＭＥＭ１１４が本発明の描画情報記憶手段に相当し，ＣＰＵ１１３，ＩＰＰ１０７，ＤＣＴ１０８，コーダー１０９およびＭＣＣ１１０によって本発明の送出手段が構成される。
【００３４】
また，実施例１では，図２−１に示すように，カメラ本体１０１とＩ／Ｆ装置２０１との間，およびＩ／Ｆ装置２０１とプリンタ３０１との間をそれぞれケーブル接続する構成を例として説明するが，図２−２に示すように，カメラ本体１０１の通信Ｉ／Ｆ部１２２を，例えば，赤外線通信が可能な構成として，Ｉ／Ｆ装置２０１側にも同様に赤外線通信が可能な通信部２０２を配置し，カメラ本体１０１とＩ／Ｆ装置２０１との間を無線で接続する構成でも良い。また，図２ー３に示すように，プリンタ３０１のＩ／Ｆ回路３０２を赤外線通信が可能な構成として，カメラ本体１０１とプリンタ３０１との間を無線で直接接続する構成でも良い。
【００３５】
以上の構成において，〔１〕描画情報の入力，〔２〕デジタルスチルビデオカメラの画像データ出力システムによるプリント処理の順で，その動作を説明する。
【００３６】
〔１〕描画情報の入力
描画情報の入力は，ＭＥＭ１１４に記憶されている描画情報メンテナンス処理プログラムをＣＰＵ１１３で実行させ，液晶モニター１０２および操作表示部１１６を介して，描画情報を入力することにより行われる。
【００３７】
図３は，描画情報メンテナンス処理のフローチャートを示し，操作表示部１１６を介して描画情報メンテナンス処理モードを指定すると，ＣＰＵ１１３によって該当するブログラムが実行される。
【００３８】
先ず，液晶モニター１０２の液晶パネル１１９にメンテナンスモードの選択画面を表示し，『１  入力』，『２  記録』，『３  削除』，『４  終了』から所望のメンテナンスモードの選択を促し，ユーザが所望のメンテナンスモードを選択すると，選択されたメンテナンスモードに従って次のステップへ進む（Ｓ３０１）。ここで，入力は，描画情報をあらたに入力する処理を示し，記録は入力した描画情報をＭＥＭ１１４へ格納する処理を示し，削除はＭＥＭ１１４に格納されている描画情報を削除する処理，終了は描画情報メンテナンス処理モードの終了を示す。
【００３９】
ステップＳ３０１で『４  終了』が選択されるとそのまま処理を終了する。
【００４０】
ステップＳ３０１で，『１  入力』，『２  記録』，『３  削除』の何れかが選択されると，ステップＳ３０２へ進み，該当する処理を実行し，再びステップＳ３０１へ戻る。
【００４１】
例えば，『１  入力』が選択されると，液晶パネル１１９へ描画情報の入力用メニュー画面を表示し，表示にしたがってユーザに描画情報の入力を行わせる。入力する描画情報としては，用紙サイズ，用紙方向，解像度，倍率，オフセット値（記録紙上における印刷開始位置）等がある。具体的には，図４ー１，図４ー２に示すように，数種類のプリンタの解像度またはプリンタの用紙サイズ・方向を表示して，ユーザに選択入力させることにより，容易に描画情報の入力を行うことができる。
【００４２】
ただし，本実施例では，オフセット値および倍率は以下の理由により，ＣＰＵ１１３が自動的に選択するものとする。すなわち，本発明では，コンピュータを介在させずに直接プリンタ等の画像形成装置に画像データを転送すること，換言すれば，如何に簡単にカメラ本体１０１からプリンタ３０１へ画像データを転送するかを主目的としているため，数種のオフセット値ＯＸ，ＯＹおよび倍率ｎをあらかじめＭＥＭ１１４に用意しておき，後述するレイアウト決定処理における計算の単純化を図る。
【００４３】
図５は，デジタルスチルビデオカメラの画像領域，記録紙上のオフセット値，倍率およびプリンタで出力する画像領域の関係を示し，図示の如く，デジタルスチルビデオカメラで撮影した画像領域（幅Ｗ×高さＨの画素）は固定であり，記録紙サイズ，記録紙の方向および解像度は出力要求があった時点で固定（既知）である。したがって，画素レベルでの記録紙上の印字範囲は既知であるから，オフセット値ＯＸ，ＯＹを第１選定し，デフォルト倍率ｎのサイズｎＷ×ｎＨ（プリンタ３０１で出力する画像領域）が印字範囲に入るか等の計算を行うことで，後述するレイアウト決定処理を簡単に行うことができる。
【００４４】
次に，ステップＳ３０１において『２  記録』が選択された場合，『１  入力』で入力された描画情報をＭＥＭ１１４へ格納する。また，『３  削除』が選択された場合には，ＭＥＭ１１４に格納されている描画情報を削除する。
【００４５】
〔２〕デジタルスチルビデオカメラの画像データ出力システムによるプリント処理
図６は，実施例１のデジタルスチルビデオカメラの画像データ出力システムによるプリント処理のフローチャートを示す。なお，図において，デジタルスチルビデオカメラ側での処理を『ＤＳＶＣ：』と記載し，プリンタ３０１側の処理を『プリンタ：』と記載する。
【００４６】
プリント処理を実行する場合，操作表示部１１６でプリント処理モードを選択すると，ＣＰＵ１１３が図６のフローチャートを実行する。
【００４７】
先ず，ユーザが，液晶パネル１１９および操作表示部１１６を用いて，出力希望画像を選択し（Ｓ６０１），続いてプリント要求を入力すると（Ｓ６０２），ＣＰＵ１１３は，通信Ｉ／Ｆ部１２２，Ｉ／Ｆ装置２０１およびＩ／Ｆ回路３０２を介してプリンタ３０１の制御部３０５と通信を行い，プリンタ３０１が準備ＯＫであるか否かを判定する（Ｓ６０３）。
【００４８】
ここで，プリンタ３０１が準備ＯＫでなければ，プリンタ３０１側でプリンタ３０１を使用可能状態へ移行させる（Ｓ６０４）。一方，準備ＯＫであれば，ＭＥＭ１１４に描画情報が格納されているか否かを判定し（Ｓ６０５），格納されていなければ，描画情報メンテナンス処理を実行する（Ｓ６０６）。この場合，ユーザは，図３で示したフローチャートにしたがって描画情報の入力し，ＭＥＭ１１４に記録する。
【００４９】
ステップＳ６０５でＭＥＭ１１４に描画情報が格納されている場合には，後述する図７の画像展開判定処理を実行し，描画情報から画像展開処理時間を予測して，デジタルスチルビデオカメラがプリンタ３０１に追従可能か否かを判定すると共に，追従できない場合にメモリカード１０３内に画像を展開するだけの空き容量があるか否かを判定し，空き容量があればメモリカード１０３へ画像を展開し，空き容量がない場合には中止命令を出力する（Ｓ６０７）。
【００５０】
続いて，画像展開判定処理で中止命令が出力されたか否かを判定し（Ｓ６０８），中止命令が出力されていれば，そのまま処理を終了する。一方，中止命令が出力されていなければ，後述する図８のレイアウト決定処理を実行して，描画情報からオフセット値，倍率を決定し，さらに画素クロック（同期信号）を演算し（Ｓ６０９），画像クロックに基づいてプリンタ３０１との間で同期調整を行い（Ｓ６１０），プリンタ３０１へ展開した画像データ（または画像データの展開を行いながら）を送出する（Ｓ６１１）。
【００５１】
プリンタ３０１はデジタルスチルビデオカメラから画像データを入力すると，記録紙に画像を描画する（Ｓ６１２）。
【００５２】
デジタルスチルビデオカメラは，全ての画像データの送信が終了するまで，ステップＳ６１１を繰り返し，送信が終了するとステップＳ６１４へ進む（Ｓ６１３）。ステップＳ６１４において，プリンタ３０１は送信終了を入力すると，記録紙を強制排紙し，処理を終了する。なお，送信終了後，デジタルスチルビデオカメラ側も処理を終了する。
【００５３】
ここで，図７を参照して画像展開判定処理について説明する。ＣＰＵ１１３は，ＭＥＭ１１４に格納されている描画情報から画像展開処理時間を予測して（Ｓ７０１），デジタルスチルビデオカメラがプリンタ３０１に追従可能か否かを判定する（Ｓ７０２）。ここで，追従可能であれば，画像を展開しながらプリンタ３０１へ転送することができるので，そのまま処理を終了する。一方，追従できない場合には，展開後の画像容量を算出し（Ｓ７０３），メモリカード１０３の残容量（空き容量）を算出し（Ｓ７０４），展開後の画像容量とメモリカード１０３の残容量とからメモリカード１０３内に画像を展開するだけの空き容量があるか否かを判定する（Ｓ７０５）。
【００５４】
ステップＳ７０５で空き容量があると判定された場合には，画像を展開し，プリンタ３０１へ垂れ流す状態（単純に転送する状態）のデータに変換して，メモリカード１０３へ書き込む（Ｓ７０６）。展開が終了すると（Ｓ７０７），そのまま処理を終了する。
【００５５】
一方，ステップＳ７０５で空き容量がないと判定された場合には，液晶パネル１１９にメモリカード１０３の交換指示表示，メモリカード１０３内の画像消去指示表示および中止・継続の選択表示を行い，ユーザへ選択を促す（Ｓ７０８）。ここで，操作表示部１１６を介して中止または継続を選択すると，ステップＳ７０９で中止であるか否かの判定を行う。例えば，ユーザがメモリカード１０３の交換またはメモリカード１０３内の画像の消去を行った後，操作表示部１１６を介して継続を選択すると，ステップＳ７０３〜ステップＳ７０５を実行して，再度メモリカード１０３へ展開可能か否かの判定を行う。また，ユーザが中止を選択すると，中止命令を送出し（Ｓ７１０），処理を終了する。
【００５６】
次に，図８を参照して，レイアウト決定処理について説明する。先ず，ＣＰＵ１１３は，ＭＥＭ１１４に記憶されている描画情報をロードし（Ｓ８０１），記録紙サイズ・方向に基づいて，記録紙上の印字範囲（幅ＴＷ×高さＴＨ）を決定し，デジタルスチルビデオカメラの固定の画像領域（幅Ｗ×高さＨ）を設定し，数種のオフセット値ＯＸ，ＯＹから候補（第ａ候補）として特定のＯＸ，ＯＹを選定し，次に数種の倍率ｎから特定の倍率ｎを第ｂ候補として選定する（Ｓ８０２）。
【００５７】
次に，選定された倍率ｎによって決まるプリンタ３０１で出力する画像領域サイズ（幅ｎＷ×高さｎＨ）が選定されたオフセット値ＯＸ，ＯＹを用いた場合に記録紙上の印字範囲（幅ＴＷ×高さＴＨ）に納まるか否かを判定する（Ｓ８０３）。ここで，ＯＸ＋ｎＷ＜ＴＷかつＯＹ＋ｎＨ＜ＴＨであれば，記録紙上の印字範囲内であるので，選定された倍率ｎおよびオフセット値ＯＸ，ＯＹを用いてレイアウトを完了し（Ｓ８０４），処理を終了する。
【００５８】
一方，ステップＳ８０３で記録紙上の印字範囲内でない場合には，次候補があるか否かを判定し（Ｓ８０５），次候補があればステップＳ８０２へ戻り，次候補がなければステップＳ８０４へ進み，処理を終了する。
【００５９】
前述したように実施例１によれば，あらかじめプリンタ３０１の描画情報を入力して，ＭＥＭ１１４に記憶させて置けば，デジタルスチルビデオカメラが，描画情報に基づいて，プリンタ３０１へ送出する画像データをプリンタ３０１に適合した画像データに変換し，かつ，プリンタ３０１に適合した同期信号を用いて送出するため，コンピュータを介在させずに直接プリンタ３０１に画像データを転送することができる。したがって，コンピュータが不要となり，安価な構成でデジタルスチルビデオカメラの画像データを記録紙に出力できる。
【００６０】
〔実施例２〕
実施例２のデジタルスチルビデオカメラは，あらかじめプリンタ（ここでは，接続可能なプリンタ）の種類に対応させて複数の描画情報をＭＥＭ１１４に記憶させておき，液晶パネル１１９および操作表示部１１６を用いて所望の描画情報を選択し，ＣＰＵ１１３が，描画情報に基づいて，プリンタ３０１に送出する画像データをプリンタ３０１に適合した画像データに変換し，かつ，プリンタ３０１に適合した同期信号を用いて送出するものである。なお，実施例２の構成は，実施例１と同様につき，ここでは異なる部分のみを説明する。
【００６１】
なお，実施例２では，液晶モニター１０２（液晶パネル１１９）および操作表示部１１６によって本発明の選択が構成され，ＭＥＭ１１４が本発明の記憶手段に相当し，ＣＰＵ１１３，ＩＰＰ１０７，ＤＣＴ１０８，コーダー１０９およびＭＣＣ１１０によって本発明の送出手段が構成される。
【００６２】
図９は，実施例２の描画情報設定処理のフローチャートを示し，先ず，外部のコンピュータを用いて使用頻度の高いプリンタの描画情報をメモリカード１０３へ複数個記録し（Ｓ９０１），該描画情報が記録されたメモリカード１０３をデジタルスチルビデオカメラ（ＤＳＶＣ）へ装着し（Ｓ９０２），該メモリカード１０３からＭＥＭ１１４へ描画情報を格納し（Ｓ９０３），その後，メモリカード１０３内の描画情報を消去する（Ｓ９０４）。このようにして，あらかじめＭＥＭ１１４に描画情報を記憶させておく。
【００６３】
図１０は，実施例２のデジタルスチルビデオカメラの画像データ出力システムによるプリント処理のフローチャートを示し，基本的には図６で示した実施例１のフローチャートと同様であり，共通のステップ番号は同一の処理を示す。また図において，デジタルスチルビデオカメラ側での処理を『ＤＳＶＣ：』と記載し，プリンタ３０１側の処理を『プリンタ：』と記載する。
【００６４】
先ず，ユーザが，出力希望画像を選択し，続いてプリント要求を入力すると（Ｓ６０１，Ｓ６０２），ＣＰＵ１１３は，プリンタ３０１が準備ＯＫであるか否かを判定し，プリンタ３０１を使用可能状態へ移行させる（Ｓ６０３，Ｓ６０４）。プリンタ３０１が使用可能状態（準備ＯＫ）であれば，ＭＥＭ１１４に描画情報が格納されているか否かを判定し（Ｓ６０５），格納されていなければ，描画情報メンテナンス処理を実行する（Ｓ６０６）。
【００６５】
一方，ステップＳ６０５でＭＥＭ１１４に描画情報が格納されている場合には，液晶パネル１１９に格納されている描画情報の名称を表示し（Ｓ１００１），ユーザに描画情報の選択を行わせる（Ｓ１００２）。ここで，ユーザが描画情報を選択すると，続いて，画像展開判定処理を行って（Ｓ６０７），実施例１と同様に以降のステップＳ６０８〜ステップＳ６１４を実行する。
【００６６】
前述したように実施例２によれば，あらかじめプリンタ３０１の描画情報をＭＥＭ１１４に記憶させておき，プリント処理を行う際に使用するプリンタ３０１の描画情報を選択することにより，デジタルスチルビデオカメラが，描画情報に基づいて，プリンタ３０１へ送出する画像データをプリンタ３０１に適合した画像データに変換し，かつ，プリンタ３０１に適合した同期信号を用いて送出するため，コンピュータを介在させずに直接プリンタ３０１に画像データを転送することができる。したがって，コンピュータが不要となり，安価な構成でデジタルスチルビデオカメラの画像データを記録紙に出力できる。
【００６７】
また，描画情報には専門的な情報が含まれるので，一般ユーザがとまどう場合もあるが，あらかじめコンピュータを用いて各プリンタ（画像形成装置）の描画情報を一括管理し，メモリカード１０３を介してＭＥＭ１１４に複数取り込むことができるので，特に専門的な知識を有しないユーザがデジタルスチルビデオカメラを使用する場合でも容易にプリント処理を行うことができる。また，描画情報の入力の手間を大幅に低減することができる。
【００６８】
〔実施例３〕
実施例３のデジタルスチルビデオカメラは，プリンタ３０１を介して画像データの出力を行う場合に，デジタルスチルビデオカメラがプリンタ３０１から描画情報を読み込んで，読み込んだ描画情報に基づいて，プリンタ３０１に送出する画像データをプリンタ３０１に適合した画像データに変換し，かつ，プリンタ３０１に適合した同期信号を用いて送出するものである。
【００６９】
図１１は，実施例３のデジタルスチルビデオカメラおよびデジタルスチルビデオカメラの画像データ出力システムのブロック構成図を示す。実施例３の構成は，図１に示した実施例１の構成において，プリンタ３０１に自装置の描画情報を記憶した描画情報記憶部３０６を追加したものである。その他の構成は基本的に実施例１と同様につき説明を省略する。
【００７０】
なお，実施例３では，描画情報記憶部３０６が本発明の第１の記憶手段に相当し，制御部３０５がデジタルスチルビデオカメラの要求に応じて描画情報記憶部３０６の描画情報をデジタルスチルビデオカメラ側へ送出する本発明の送出手段に相当し，ＣＰＵ１１３がプリンタ３０１を介して画像データの出力を行う場合に，制御部３０５に描画情報の送出を要求し，描画情報を読み込む本発明の描画情報読込手段に相当し，ＭＥＭ１１４がＣＰＵ１１３によって読み込まれた描画情報を記憶する本発明の第２の記憶手段に相当する。また，ＣＰＵ１１３，ＩＰＰ１０７，ＤＣＴ１０８，コーダー１０９およびＭＣＣ１１０によって本発明の送出手段が構成される。
【００７１】
図１２は，実施例３のデジタルスチルビデオカメラの画像データ出力システムによるプリント処理のフローチャートを示し，基本的には図６で示した実施例１のフローチャートと同様であり，共通のステップ番号は同一の処理を示す。また図において，デジタルスチルビデオカメラ側での処理を『ＤＳＶＣ：』と記載し，プリンタ３０１側の処理を『プリンタ：』と記載する。
【００７２】
先ず，ユーザが，出力希望画像を選択し，続いてプリント要求を入力すると（Ｓ６０１，Ｓ６０２），ＣＰＵ１１３は，プリンタ３０１が準備ＯＫであるか否かを判定し，プリンタ３０１を使用可能状態へ移行させる（Ｓ６０３，Ｓ６０４）。プリンタ３０１が使用可能状態（準備ＯＫ）であれば，ＣＰＵ１１３はプリンタ３０１の制御部３０５に対してプリンタ３０１側に問い合わせを行い，描画情報の保持機能があるか否かを判定する（Ｓ１２０１）。
【００７３】
ステップＳ１２０１において，プリンタ３０１側に描画情報の保持機能がないと判定された場合，ステップＳ６０６の描画情報メンテナンス処理を実行して，デジタルスチルビデオカメラ側で描画情報を入力した後，ステップＳ６０７〜ステップＳ６１４を実行する。
【００７４】
一方，ステップＳ１２０１において，プリンタ３０１側に描画情報の保持機能があると判定された場合，ステップＳ１２０２へ進む。ステップＳ１２０２において，プリンタ３０１の制御部３０５は，現状の設定状態（描画情報）を描画情報記憶部３０６に記憶させる。一方，ＣＰＵ１１３は，描画情報記憶部３０６に記憶された描画情報をプリンタ３０１から入力し，ＭＥＭ１１４に記憶する（Ｓ１２０３）。その後，実施例１と同様に以降のステップＳ６０８〜ステップＳ６１４を実行する。
【００７５】
前述したように実施例３によれば，プリンタ３０１側の描画情報記憶部３０５に描画情報を持たせることで，さらに描画情報の設定を容易かつ迅速に行うことが可能とする。また，描画情報のフォーマット仕様を決めておけば，他の機器（例えば，コンピュータ）からも描画情報を利用することができる。
【図面の簡単な説明】
【００７６】
【図１】実施例１のデジタルスチルビデオカメラおよびデジタルスチルビデオカメラの画像データ出力システムのブロック構成図である。
【図２−１】デジタルスチルビデオカメラプリンタとの接続方法を示す説明図である。
【図２−２】デジタルスチルビデオカメラプリンタとの接続方法を示す説明図である。
【図２−３】デジタルスチルビデオカメラプリンタとの接続方法を示す説明図である。
【図３】実施例１の描画情報メンテナンス処理のフローチャートである。
【図４−１】描画情報の入力画面例を示す説明図である。
【図４−２】描画情報の入力画面例を示す説明図である。
【図５】デジタルスチルビデオカメラの画像領域，記録紙上のオフセット値，倍率およびプリンタで出力する画像領域の関係を示す説明図である。
【図６】実施例１のデジタルスチルビデオカメラの画像データ出力システムによるプリント処理のフローチャートである。
【図７】実施例１の画像展開判定処理のフローチャートである。
【図８】実施例１のレイアウト決定処理のフローチャートである。
【図９】実施例２の描画情報設定処理のフローチャートである。
【図１０】実施例２のデジタルスチルビデオカメラの画像データ出力システムによるプリント処理のフローチャートである。
【図１１】実施例３のデジタルスチルビデオカメラおよびデジタルスチルビデオカメラの画像データ出力システムのブロック構成図である。
【図１２】実施例３のデジタルスチルビデオカメラの画像データ出力システムによるプリント処理のフローチャートである。
【図１３−１】従来のデジタルスチルビデオカメラの画像データ出力システムの構成例を示す説明図である。
【図１３−２】従来のデジタルスチルビデオカメラの画像データ出力システムの構成例を示す説明図である。
【図１３−３】従来のデジタルスチルビデオカメラの画像データ出力システムの構成例を示す説明図である。
【図１３−４】従来のデジタルスチルビデオカメラの画像データ出力システムの構成例を示す説明図である。
【符号の説明】
【００７７】
１０１    カメラ本体                １０２    液晶モニター
１０３    メモリカード              １０４    レンズユニット
１０５    ＣＣＤ（電荷結合素子）    １０６    Ａ／Ｄ変換器
１０７    ＩＰＰ（Image Pre-Processor ）
１０８    ＤＣＴ（Discrete Cosine Transform ）
１０９    コーダー（Huffman Encoder/Decoder ）
１１０    ＭＣＣ（Memory Card Controller）
１１１    マイク
１１２    ＡＤＰＣＭ（Adaptive Differential Pulse Code Modulation ）
１１３    ＣＰＵ                    １１４    ＭＥＭ
１１６    操作表示部                １２２    通信Ｉ／Ｆ部
２０１    Ｉ／Ｆ装置                ３０１    プリンタ
３０２    Ｉ／Ｆ回路                ３０３    エンジン部
３０４    操作表示部                ３０５    制御部
【図１】
0003728443.tif 000002
【図２−１】
0003728443.tif 000003
【図２−２】
0003728443.tif 000004
【図２−３】
0003728443.tif 000005
【図３】
0003728443.tif 000006
【図４−１】
0003728443.tif 000007
【図４−２】
0003728443.tif 000008
【図５】
0003728443.tif 000009
【図６】
0003728443.tif 000010
【図７】
0003728443.tif 000011
【図８】
0003728443.tif 000012
【図９】
0003728443.tif 000013
【図１０】
0003728443.tif 000014
【図１１】
0003728443.tif 000015
【図１２】
0003728443.tif 000016
【図１３−１】
0003728443.tif 000017
【図１３−２】
0003728443.tif 000018
【図１３−３】
0003728443.tif 000019
【図１３−４】
0003728443.tif 000020